(57)【特許請求の範囲】
【請求項１】
アレルゲン低減化成分を含有させてなるアレルゲン低減化寝具であって、アレルゲン低減化成分が、芳香族ヒドロキシ化合物であり、かつ、芳香族ヒドロキシ化合物が、線状高分子の側鎖に下記一般式（１）〜（６）に示される少なくとも一つを有する化合物であることを特徴とするアレルゲン低減化寝具。
【化１】
一般式（１）〜（６）
0004032223.tif 000006
（Ｒは水素または水酸基で、少なくとも１つは水酸基を示し、ｎは０〜５を示す）
【請求項２】
アレルゲン低減化成分を含有させてなるアレルゲン低減化寝具であって、アレルゲン低減化成分が、芳香族ヒドロキシ化合物であり、かつ、芳香族ヒドロキシ化合物が、上記一般式（１）〜（６）に示される少なくとも一つを含む単量体及び／又は一価のフェノール基を有する単量体を重合又は共重合してなることを特徴とするアレルゲン低減化寝具。
【請求項３】
アレルゲン低減化成分が、寝具の構成繊維に固着及び／又は化学的に結合されてなることを特徴とする請求項１〜２項いずれか１項に記載のアレルゲン低減化寝具。
【請求項４】
アレルゲン低減化成分が、寝具の構成繊維にグラフト化反応により固着及び／又は化学的に結合されてなることを特徴とする請求項１〜３項いずれか１項に記載のアレルゲン低減化寝具。
【請求項５】
溶剤及び／又はバインダーに溶解又は分散したアレルゲン低減化成分が、寝具の構成繊維に固着及び／又は化学的に結合されてなることを特徴とする請求項１〜３項いずれか１項に記載のアレルゲン低減化寝具。
【請求項６】
アレルゲン低減化成分を有する重合性単量体が共重合されてなる繊維原料が、寝具の構成繊維に用いられてなることを特徴とする請求項１〜３項いずれか１項に記載のアレルゲン低減化寝具。
【請求項７】
寝具の構成繊維が、アレルゲン低減化成分と繊維原料とを紡糸してなることを特徴とする請求項１〜３項いずれか１項に記載のアレルゲン低減化寝具。
【請求項８】
アレルゲンがチリダニ由来であることを特徴とする請求項1〜７項いずれか１項に記載のアレルゲン低減化寝具。
【請求項９】
液体で洗浄することにより、アレルゲン低減化機能が回復することを特徴とする請求項１〜８いずれか１項に記載のアレルゲン低減化寝具。
【請求項１０】
掃除機で吸引することにより、アレルゲン低減化機能が回復することを特徴とする請求項１〜８いずれか１項に記載のアレルゲン低減化寝具。
【発明の詳細な説明】
【０００１】
【発明の属する技術分野】
本発明は、ダニや花粉等のアレルゲンを低減化する機能を有するアレルゲン低減化寝具に関する。
【０００２】
【従来の技術】
近年、アトピー性皮膚炎、気管支喘息、アレルギー性鼻炎など多くのアレルギー疾患が問題となってきている。その主な原因は、住居内性ダニ類、特に室内塵中に多いチリダニのアレルゲン（Ｄｅｒ１、Ｄｅｒ２）や、おもに春季に猛威を振るうスギ花粉アレルゲン（Ｃｒｉｊ１、Ｃｒｉｊ２）等の多くのアレルゲンが生活空間内に増えてきているためである。
特にチリダニのアレルゲンはその原因となるチリダニを駆除しても、その死虫が更にアレルゲン性の高い物質を生活空間に供給することになり、アレルゲンが原因となるアレルギー疾患の根本的な解決には至らない。また、スギ花粉アレルゲンであるＣｒｉｊ１は分子量約４０ｋＤａの糖タンパク質、Ｃｒｉｊ２は分子量約３７ｋＤａの糖タンパク質であり、鼻粘膜等に付着すると生体外異物として認識され炎症反応を引き起こす。
よって、アレルギー疾患の症状軽減あるいは新たな感作を防ぐためには、生活空間から完全にアレルゲンを取り除くか、アレルゲンを変性させるなどして不活性化させることが必要となる。特に、布団、マットレス、枕などの側生地や布団、マットレス、枕、ベッド、毛布などのカバーおよびシーツに代表される寝具は、長時間接触すること、寝ているときにアレルギー症状が出てきた場合、睡眠が妨げられ、さらに、著しく健康を損なうことから、アレルギー疾患を持つ患者にとっては最もアレルゲン低減化が望まれているものである。
【０００３】
一方、寝具は一般的にその表面が繊維からなる布帛で覆われているため、アレルゲンが蓄積されやすく、容易に電気掃除機などで掃除することが困難である。また、これらは水に濡らすことができなかったりあるいは家庭用の洗濯機に入らない大きさであるために、洗濯によりアレルゲンを除去することができないか大変な労力を必要としていた。そこで、特開昭６２−２１３７０７号公報では寝具カバーの布帛の目を一定の大きさに制御したもの、特公平７−３２７３５号公報では布帛と中綿の固定方法をも制御して、ダニ類が布団の中に通過しないような技術が紹介され、実際に市販もされている。しかしながら、それらの特殊な布帛および縫製方法の寝具類は、ダニ類自体は通過できないものの、アレルゲンとなるダニの死骸や糞などの大きさはダニ類の１／１０以下と小さいため除去できず、また、物理的な衝撃でバラバラになり更に細かくなったアレルゲンも防除することはできない。さらに、寝具内部ではなく室内外から降りかかる塵ゴミ中のアレルゲンに対してはなんら効果がない。
【０００４】
【発明が解決しようとする課題】
本発明は、上記問題点に鑑み、改めてアレルゲン低減化処理を施すことなく寝具に付着したアレルゲンを自動的に低減化し、さらに簡便な操作によりアレルゲン低減化機能が回復することができるアレルゲン低減化寝具を提供することにある。
【０００５】
【課題を解決するための手段】
上記目的を達成するために、本発明は、アレルゲン低減化成分を含有させてなることを特徴とするアレルゲン低減化寝具。
また、本発明は、アレルゲン低減化成分が、芳香族ヒドロキシ化合物であるアレルゲン低減化寝具を提供する。
また、請求項１記載の本発明は、芳香族ヒドロキシ化合物が、線状高分子の側鎖に下記一般式（１）〜（６）に示される少なくとも一つを有する化合物であるアレルゲン低減化寝具を提供する。
【化２】
一般式（１）〜（６）
0004032223.tif 000002
（Ｒは水素または水酸基で、少なくとも１つは水酸基を示し、ｎは０〜５を示す）
また、請求項２記載の本発明は、芳香族ヒドロキシ化合物が、上記一般式（１）〜（６）に示される少なくとも一つを含む単量体及び／又は一価のフェノール基を有する単量体を重合又は共重合してなるアレルゲン低減化寝具を提供する。
また、請求項３記載の本発明は、アレルゲン低減化成分が、寝具の構成繊維に固着及び／又は化学的に結合されてなる請求項１〜２項いずれか１項に記載のアレルゲン低減化寝具を提供する。
また、請求項４記載の本発明は、アレルゲン低減化成分が、寝具の構成繊維にグラフト化反応により固着及び／又は化学的に結合されてなる請求項１〜３項いずれか１項に記載のアレルゲン低減化寝具を提供する。
また、請求項５記載の本発明は、溶剤及び／又はバインダーに溶解又は分散したアレルゲン低減化成分が、寝具の構成繊維に固着及び／又は化学的に結合されてなる請求項１〜３項いずれか１項に記載のアレルゲン低減化寝具を提供する。
また、請求項６記載の本発明は、アレルゲン低減化成分を有する重合性単量体が共重合されてなる繊維原料が、寝具の構成繊維に用いられてなる請求項１〜３項いずれか１項に記載のアレルゲン低減化寝具を提供する。
また、請求項７記載の本発明は、寝具の構成繊維が、アレルゲン低減化成分と繊維原料とを紡糸してなる請求項１〜３項いずれか１項に記載のアレルゲン低減化寝具を提供する。
また、請求項８記載の本発明は、アレルゲンがチリダニ由来である請求項1〜７項いずれか１項に記載のアレルゲン低減化寝具を提供する。
また、請求項９記載の本発明は、液体で洗浄することにより、アレルゲン低減化機能が回復する請求項１〜８いずれか１項に記載のアレルゲン低減化寝具を提供する。
また、請求項１０記載の本発明は、掃除機で吸引することにより、アレルゲン低減化機能が回復する請求項１〜８いずれか１項に記載のアレルゲン低減化寝具を提供する。
【０００６】
以下に本発明を詳細に説明する。
本発明におけるアレルゲン低減化寝具は、寝具の少なくとも一部にアレルゲン低減化成分を含有していれば良い。寝具の少なくとも一部とは、例えば、寝具を構成する繊維の一部、寝具を構成する部位（例えば、側生地のみ等）、寝具を構成する部位の一部等、特に限定されない。
【０００７】
本発明における寝具とは、寝るときに用いられる一般的なものであって、例えば、布団、マットレス、枕などの側生地や布団、マットレス、枕、ベッド、毛布などのカバーおよびシーツが挙げられる。
さらに、寝具に使用される素材も本発明に含まれ、例えば、寝具用の中綿等、又は、これらに使用するそば殻、もみ殻等の粒子状材料、ポリウレタン、ポリスチレン等の発泡体材料等が挙げられる。
【０００８】
本発明で用いられるアレルゲン低減化成分は、アレルゲンを不活性化し、抗原抗体反応を抑制できる成分である。
【０００９】
上記アレルゲン低減化成分としては、芳香族ヒドロキシ化合物であることが好ましい。
【００１０】
上記芳香族ヒドロキシ化合物としては、特に限定されず、中でも、寝具への着色の心配が少ないという点から、線状高分子の側鎖に下記一般式（１）〜（６）に示される少なくとも一つを有する化合物であることが好ましい。
【００１１】
【化３】
一般式（１）〜（６）
0004032223.tif 000003
（Ｒは水素または水酸基で、少なくとも１つは水酸基を示し、ｎは０〜５を示す）
【００１２】
上記一般式（１）〜（６）で示される官能基を線状高分子の側鎖に有する化合物において、ｎの数は０〜５である。５を越えると、線状高分子を使用する効果がなくなることがある。また、Ｒの少なくとも１つは水酸基であり、水酸基がないと、アレルゲン低減化効果を十分発揮できないことがある。水酸基が多すぎると着色性が強くなることがあるため、水酸基は一つが好ましい。また、水酸基の位置は、立体障害が最も少ない箇所に結合していることが好ましく、例えば一般式（１）ではパラ位にあるのが好ましい。
【００１３】
上記線状高分子とは、例えば、合成高分子ではビニル重合体、ポリエステル、ポリアミドなどのことをいう。
また、上記一般式（１）〜（６）で示される官能基と線状高分子との化学結合については、特に限定されず、炭素−炭素結合、エステル結合、エーテル結合、アミド結合等が挙げられる。
上記一般式（１）〜（６）で示される官能基を線状高分子の側鎖に有する化合物としては、安全性や入手しやすさから、例えば、ポリ３，４，５−ヒドロキシ安息香酸ビニル、ポリビニルフェノール、ポリチロシン、ポリ(１−ビニル−５−ヒドロキシナフタレン)、ポリ(１−ビニル−６−ヒドロキシナフタレン)、ポリ(１−ビニル−５−ヒドロキシアントラセン)が好ましい。
【００１４】
また、上記芳香族ヒドロキシ化合物としては、上記一般式（１）〜（６）に示される少なくとも一つを含む単量体及び／又は一価のフェノール基を有する単量体を重合又は共重合してなるものが好ましい。
【００１５】
上記１価のフェノール基を一個以上有する単量体としては、ベンゼン環に一個の水酸基を有する単量体が一個以上結合している化合物であれば特に限定されず、例えば、ビニルフェノール、チロシン、下記一般式７に示される１，２−ジ(４-ヒドロキシフェニル)エテン等が挙げられる。有効成分が、１価のフェノール基を有すると多価フェノールに比べて変色しにくいといった効果がある。
【化４】
一般式（７）
0004032223.tif 000004
【００１６】
上記１価のフェノール基を一個以上有する単量体に共重合される他の単量体としては、エチレン、アクリレート、メタクリレート、メチルメタクリレート、ヒドロキシエチルメタクリレート、ヒドロキシエチルアクリレート、ヒドロキシプロピルアクリレート、ヒドロキシプロピルメタクリレート、スチレン等が挙げられる。
【００２７】
本発明のアレルゲン低減化寝具には、上記アレルゲン低減化成分が少なくとも1つ有効成分として配合されていればよく、２つ以上を組み合わせて使用されていてもよい。
【００２８】
本発明のアレルゲン低減化寝具に配合されるアレルゲン低減化成分の量としては、寝具の構成繊維に対して、０．１〜３００重量％の割合で配合されることが好ましい。さらに好ましくは、０．２〜１００重量％の割合、特に好ましくは０．５〜５０重量％の割合である。
０．１重量％未満であれば、アレルゲン低減化効果を発揮することが難しくなることがあり、３００重量％を超えると、表面層が固く脆くなって、物性上の低下を招いたり、繊維からの脱落等が容易となり、予想される効果が期待できなかったり、脱落物による周辺の汚損が見られ清掃の必要性が出てくる場合がある。
【００２９】
本発明の寝具の構成繊維としては、特に限定されずいかなる素材、形態のものも用いられるが、中でも、アレルゲン低減化成分を繊維に固着及び／又は化学的に結合できるものとしては、例えば、ポリエステル系、ポリアミド系（ナイロン等）、ポリオレフィン系、ポリアクリル系等の合成繊維、アセテート等の半合成繊維、キュプラ、レーヨン等の再生繊維、木綿、麻、羊毛、絹等の天然繊維あるいは、これら各繊維の複合化繊維、混綿などが使用できる。
また繊維の形態としては、繊維製品に使用されうるものであればいかなる形態のものでも使用でき、例えば、糸、織布、不織布等のいずれを使用しても良い。
【００３０】
アレルゲン低減化成分を寝具の構成繊維に固着及び／又は化学的に結合させる方法としては、特に限定されず、例えば、グラフト化反応、溶剤及び／又はバインダーを用いる方法等が挙げられる。
尚、下記するアレルゲン低減化成分を寝具の構成繊維に固着及び／又は化学的に結合させる方法は、一種類でなく複数行ってもよい。
【００３１】
上記グラフト化反応としては、特に限定されず、例えば、以下の方法が挙げられる。
１）グラフト重合法；繊維となる幹ポリマーに重合開始点をつくり、アレルゲン低減化成分である枝ポリマーを形成するモノマーを重合させる方法。
２）カップリング法（高分子反応）；先に準備したアレルゲン低減化成分である枝ポリマーを高分子反応によって幹ポリマーに結合させる方法。
【００３２】
上記グラフト重合法としては、特に限定されず、例えば、以下の方法が挙げられる。
（１）繊維への連鎖移動反応を利用し、ラジカルを生成し重合する方法。
（２）第２セリウム塩や硫酸銀塩等をアルコール、チオール、アミンのような還元性物質を作用させて酸化還元系（レドックス系）を形成し、繊維にフリーラジカルを生成して重合を行う方法。
（３）γ線や加速電子線を用い、繊維とモノマーを共存させて照射を行う方法、または繊維だけに照射し、後にモノマーを加えて重合を行う方法。
（４）幹ポリマーを酸化しペルオキシ基を導入、或いは側鎖のアミノ基からジアゾ導入しこれを重合開始点として重合する方法。
（５）水酸基、アミノ基、カルボキシル基等の側鎖の活性基によるエポキシ、ラクタム、極性ビニルモノマー等の重合開始反応を利用する方法。
【００３３】
具体的には、以下の方法が挙げられる。ａ）ビニルモノマー中でセルロースを磨砕することによってフリーラジカルを生成させグラフト重合を行う方法。ｂ）ビニルモノマーと、繊維として連鎖移動を受けやすい基を持つセルロース誘導体（例えば、メルカプトエチルセルロースなど）を用いてグラフト重合を行う方法。ｃ）オゾンや過酸化物を酸化し、ラジカルを生成させる方法でグラフト重合を行う方法。ｄ）アリルエーテル、ビニルエーテルまたはメタクリル酸エステル等の二重結合を、セルロースの側鎖に導入してグラフト重合を行う方法。ｅ）アンスラキノン−２，７−ジスルホン酸ナトリウムなどを光増感剤として用い紫外線を照射してグラフト重合を行う方法。ｆ）カソードの周りに繊維機材を巻き、希硫酸中にモノマーを加え外部電圧を加えることにより電気化学的にグラフト重合を行う方法。
中でも繊維へのグラフト重合であることを勘案すれば、好ましくは、ｇ）メタクリル酸グリシジル（ＧＭＡ）と過酸化ベンゾイルを塗った繊維をモノマー溶液中で加熱することによりグラフト重合する方法。ｈ）過酸化ベンゾイル、ノニオン-アニオン型界面活性剤及びモノクロルベンゼンを水へ分散させた液にモノマーを加え、繊維として例えばポリエステル系繊維を浸漬して、加熱してグラフト重合を行う方法等が用いられる。
【００３４】
上記カップリング方法としては、特に限定されず、一般的な方法が使用できる。例えば、（１）Ｃ−Ｈに対する連鎖移動反応、酸化反応、置換反応（２）二重結合に対する付加反応、酸化反応（３）水酸基のエステル化、エーテル化、アセタール化、エステル基やアミド基に対する置換反応、付加反応、加水分解反応、ハロゲン基に対する置換反応、脱離反応（４）芳香環に対する置換反応（ハロゲン化、ニトロ化、スルホン化、クロルメチル化）等が挙げられる。
【００３５】
上記グラフト化反応に用いられるアレルゲン低減化成分は、上記アレルゲン低減化成分に反応性あるいは重合性を付加した単量体であれば特に限定されず、使用することができる。中でも芳香族ヒドロキシ化合物が好ましく用いられる。
【００３６】
本発明におけるアレルゲン低減化寝具は、溶剤及び／又はバインダーに、溶解又は分散したアレルゲン低減化成分を寝具の構成繊維に固着及び／又は化学的に結合させる方法によっても得られる。
上記溶剤としては、アレルゲン低減化成分を溶解又は分散できるもの、或いはバインダーを溶解できるものであれば、特に限定されず、例えば、水、アルコール類（メチルアルコール、エチルアルコール、プロピルアルコール等）、炭化水素類（トルエン、キシレン、メチルナフタレン、ケロセン、シクロヘキサン等）、エーテル類（ジエチルエーテル、テトラヒドロフラン、ジオキサン等）、ケトン類（アセトン、メチルエチルケトン等）、アミド類（Ｎ，Ｎ−ジメチルホルムアミド等）等が挙げられる。
【００３７】
上記バインダーとしては、アレルゲン低減化剤を繊維表面に固着できるものであれば、特に限定されず、例えば、合成樹脂からなるバインダーとしては、１液型ウレタン樹脂、２液型ウレタン樹脂、アクリル樹脂、ウレタンアクリレート樹脂、ポリエステル樹脂、不飽和ポリエステル樹脂、アルキッド樹脂、酢酸ビニル樹脂、塩化ビニル樹脂、エポキシ樹脂、エポキシアクリレート樹脂等が挙げられる。バインダーは、液体状態の場合はそのままの状態で使用しても、また上記溶剤を添加してもよい。固体状態の場合には上記溶剤に溶解又は分散した状態で使用してもよい。
また、上記溶剤及びバインダーは、単独で用いてもよいし、２種以上を併用してもよい。
【００３８】
上記アレルゲン低減化成分が溶剤及び／又はバインダーに溶解又は分散されている溶液（以下、低減化成分含有溶液と記す場合がある。）を繊維に対し寝具の構成繊維に固着及び／又は化学的に結合させる方法としては、特に限定されず、繊維を低減化成分含有溶液に浸漬しても、低減化成分含有溶液を繊維に塗布・塗工しても、低減化成分含有溶液を繊維にスプレーにより塗布しても構わない。
【００３９】
請求項６記載の繊維原料とは、アレルゲン低減化成分を有する重合性単量体と一般の繊維原料となる重合性単量体が共重合されたものである。
前記アレルゲン低減化成分を有する重合性単量体とは、上記アレルゲン低減化成分に重合性を付加した単量体であれば特に限定されない。
【００４０】
請求項７で用いる繊維原料とは、請求項６にて得られたアレルゲン低減化成分を有する繊維原料及び／又は一般の繊維原料が用いられる。
上記一般の繊維原料とは、通常繊維として加工・使用されているものであれば、特に限定されず、例えば、ポリアミド系（ナイロン等）、アクリル系、ポリ塩化ビニリデン系、ポリ塩化ビニル系、ポリアクリロニトリル系、ポリエステル系、ポリオレフィン系（ポリエチレン、ポリプロピレン等）、ポリウレタン系等の合成繊維原料、アセテート等の半合成繊維原料、キュプラ、レーヨン等の再生繊維原料、天然繊維等が使用できる。
【００４１】
尚、さらに、上記アレルゲン低減化成分を含有する繊維原料と一般の繊維原料を混紡または交撚し紡糸することによって得る方法を用いてもよい。
【００４２】
上記アレルゲン低減化成分と繊維原料となる重合性単量体とを共重合する方法としては、いかなる方法を用いてもよく、例えば、ビニル重合、環化重合、開環重合等の付加反応、転移重合、異性化重合等の水素移動重合、酸化重合、脱窒素重合、脱炭酸重合、重縮合、付加縮合等の縮合反応等が挙げられる。
【００４３】
上記共重合反応に用いられるアレルゲン低減化成分は、上記した如くアレルゲン低減化成分に重合性を付加した単量体であれば特に限定されず、使用することができる。中でも芳香族ヒドロキシ化合物が好ましく用いられる。
【００４４】
アレルゲン低減化成分と繊維原料（一般の繊維原料、アレルゲン低減化成分含有繊維原料）とを紡糸する方法としては、特に限定されず、以下の方法が挙げられる。
１）溶融紡糸法：例えば、溶融する繊維原料においては、繊維原料の加熱溶融後、分解点がその繊維原料の加熱溶融点以上のアレルゲン低減化成分を練り込み、溶融混合液とし、これを所望の細孔をもつ紡糸口金を通じて、不活性冷却媒体（例えば空気、窒素水など）中に押し出し、冷却固化させて繊維とする方法。  ２）湿式紡糸法：例えば、繊維原料を溶剤に溶解して溶液とし、アレルゲン低減化成分を分散混合あるいは溶解し（紡糸原液）、これを紡糸口金を通じ高分子を再生凝固させる液体中に押し出して、紡糸原液中に溶けている高分子を繊維状に固化させる方法。  ３）乾式紡糸法：例えば、繊維原料を揮発性の溶剤に溶解して、アレルゲン低減化成分を分散混合あるいは溶解して紡糸原液とし、これを口金を通じて加熱気体中に押し出し紡糸原液中の溶剤を蒸発させて、繊維状に固化させる方法。
上記３つの方法は、工業的に広く使われており、目的とするアレルゲン低減化寝具により使い分けることができる。
【００４５】
さらに、上記以外の方法として、４）エマルジョン紡糸法：繊維原料のエマルジョン（サスペンジョン、スラリ）を作り、アレルゲン低減化成分を分散混合あるいは溶解して紡糸原液とし、これを湿式紡糸法あるいは乾式紡糸法に準じて紡糸する方法、５）コンジュゲート紡糸法：別々に溶融した２成分以上の繊維原料溶融体中にアレルゲン低減化成分を分散混合あるいは溶解し、または、アレルゲン低減化成分自体を溶融体とし、それら溶融体を紡糸口金の直前で複合して同時に紡出する方法、６）紡糸口金を用いずに高分子物質を繊維状にする方法：例えば、アレルゲン低減化成分を含んだ薄膜を延伸した後、縦に細く切り、更に延伸、熱固定する方法、棒状のアレルゲン低減化成分を含んだ高分子物質を高度に延伸する方法、界面重合による方法等を用いてもよい。
【００４６】
本発明におけるのアレルゲン低減化寝具は、種々の方法によりアレルゲン低減化機能を回復させることができる。アレルゲン低減化機能の回復とは、寝具の構成繊維に固着及び／又は化学的に結合したアレルゲン低減化成分が、度重なるアレルゲンとの接触によりその低減化機能を失った場合、再びアレルゲン低減化機能を発揮できるようにすることを言う。
アレルゲンの不活性化は、使用する低減化成分の種類により、アレルゲンと低減化成分との反応により低減化成分が消費される場合と、低減化成分が触媒的に作用しアレルゲンを不活性化する場合があると考えられる。このため、低減化成分の機能回復（低減化成分を繊維表面に出す）させるためには、繊維内部に存在する低減化成分を表面にブリードアウトさせる、或いは、低減化繊維の表面に堆積した不活性化アレルゲンを除去する方法等が挙げられる。
【００４７】
本発明における上記回復方法としては、例えば、寝具を液体で洗浄する方法、寝具を加熱する方法、寝具を掃除機で吸引する方法等が挙げられる。
上記寝具の洗浄に使用されうる液体としては、寝具自体に損傷を与えるものでなければ、特に限定されず、例えば水、アルコール類（メチルアルコール、エチルアルコール、プロピルアルコール等）、炭化水素類（トルエン、キシレン、メチルナフタレン、ケロセン、シクロヘキサン等）、エーテル類（ジエチルエーテル、テトラヒドロフラン、ジオキサン等）、ケトン類（アセトン、メチルエチルケトン等）、アミド類（N，N-ジメチルホルムアミド等）等が挙げられる。中でも簡便に、また家庭でも手軽に処理できると言う点から、水、アルコールが好ましく用いられる。
また、上記洗浄効果を高めるために、一般に使用される界面活性剤を使用してもよい。
【００４８】
上記寝具を加熱する温度は、寝具自体に損傷を与えるものでなければ、特に限定されず、また、上記加熱方法としては、いかなる方法も使用でき、例えば、寝具自体を加熱する方法、上記溶剤を加熱し洗浄する方法、太陽光で加熱する方法等が挙げられる。
【００４９】
さらに、本発明では、低減化成分がアレルゲンに対して円滑に作用し低減化効果を高めるために、寝具に親水性成分を含有していることが好ましい。
上記方法としては、例えば、親水性モノマーを共重合する方法等を用いる方法が挙げられる。このような親水性モノマーは、特に限定されず、例えば、酢酸ビニル、２−ヒドロキシエチルメタクリレート（ＨＥＭＡ）等が挙げられる。
また、溶剤やバインダーを用いて寝具に固着する場合は、その中に親水性物質を添加して使用する方法が挙げられる。このような親水性物質としては、例えば、セルロース、ポリビニルアルコール等が挙げられる。
また、繊維に吸湿性・吸水性の高い繊維を使用する方法等も挙げられる。
【００５０】
本発明のアレルゲン低減化寝具には、アレルゲン低減化効果の有効性を阻害しない範囲において、湿潤剤、酸化防止剤、紫外線吸収剤等の製剤用補助剤が配合されていてもよく、また、殺ダニ剤、殺菌剤、防黴剤、消臭剤等が含有されていてもよい。
【００５１】
本発明のアレルゲン低減化寝具が対象とするアレルゲンとしては、動物性アレルゲン、花粉などの植物性アレルゲンが挙げられる。本発明のアレルゲン低減化成分は、これらのアレルゲンの特異抗体との反応を抑えることにより、本発明の寝具に接触したアレルゲンを低減化する。特に効果のある動物性アレルゲンとしては、ダニ類のアレルゲン（ダニ類、節足動物一蛛形綱−ダニ目の生物で、主に７つの亜目に分かれている。アシナガダニに代表される背気門、カタダニに代表される四気門、ヤマトマダニ、ツバメヒメダニに代表される後気門、イエダニ、スズメサシダニ代表される中気門、クワガタツメダニ、ナミホコリダニに代表される前気門、ケナガコナダニ、コナヒョウヒダニに代表される無気門、イエササラダニ、カザリヒワダニに代表される隠気門等）のいずれの種類でも対象となり得るが、室内塵中、特に寝具類に多くアレルギー疾患の原因となるチリダニ科、ヒョウヒダニ類に効果がある。
【００５２】
【発明の実施の形態】
以下に実施例を挙げて本発明を更に詳細に説明するが、本発明はこれらの実施例のみに限定されるものではない。
【００５３】
（実施例１）
過酸化ベンゾイル（シグマアルドリッチ社製試薬：純度７５％一級規格）１重量部、アニオン性界面活性剤「エマール２Ｆニードル」（花王社製：有効成分または固形分９０％）１重量部、クロロベンゼン（シグマアルドリッチ社製試薬：純度９９．５％特級規格）１０重量部、精製水１０００重量部の水性乳化分散液に、４−ビニルフェノール（ランカスター社製：純度１０％プロピレングリコール溶液）１００重量部を添加し繊維処理液を調整した。繊維処理液中にＰＥＴ（ポリエチレンテレフタレート）製の布２０重量部を浸漬し、１００℃で６０分間加熱しグラフト重合を行った。その後、１００℃精製水中にて該ＰＥＴ製布を３０分間抽出を行い、更に０．５％炭酸ナトリウム水溶液で、５０℃で３０分中和処理後、水洗し乾燥してアレルゲン低減化布帛を得た。得られた布帛を用いて寝具カバーを作製した。
【００５４】
（実施例２）
ポリチロシン（ＩＮＣバイオケミカルズ社製：重量平均分子量（Ｍｗ＝１８０００〜３６０００）２重量部、バインダーとしてアクリル酸エチルとメタクリル酸メチル共重合体「オイドラギットＮＥ３０Ｄ」（Ｒｏｈｍ  Ｐｈａｒｍａ社製：固形分３０％）２重量部、ノニオン系界面活性剤「エマルゲン９１１」（花王社製）０．３重量部、及び溶媒として精製水１００重量部を混合攪拌し繊維処理液を調製した。処理液をポリエステル不織布（目付１００ｇ／ｍ2）に２０μｌ／ｃｍ2となるように均一にスプレーし、室温で８時間放置して乾燥させ、アレルゲン低減化布帛を得た。得られた布帛を用いて寝具カバーを作製した。
【００５６】
（実施例３）
ポリエチレンテレフタレート（以下ＰＥＴ）（極限粘度〔η〕＝０．６５）１００重量部と、ポリパラビニルフェノール「マルカリンカーＭ」（丸善石油化学社製）（重量平均分子量Ｍｗ＝５５００）１００重量部とを加圧ニーダーを用い２６０℃で２０分の条件で混練した。混練後、スクリュー型１軸押出器で押出し、ペレット状に成型した。該ペレットを溶融紡糸法にて紡糸し（紡糸でのパックのフィルターは２７０メッシュ）、延伸し、水洗し、乾燥してアレルゲン低減化布帛を得た。得られた布帛を用いて寝具カバーを作製した。
【００５７】
（比較例１）
実施例１で使用したものと同じＰＥＴ製布を、アレルゲン低減化処理を行わずに使用し、寝具カバーを作製した。
【００５８】
（比較例２）
実施例２で使用したものと同じポリエステル不織布（目付１００ｇ／ｍ2）を、アレルゲン低減化処理を行わずに使用し、寝具カバーを作製した。
【００５９】
（比較例３）
ポリエチレンテレフタレート（以下ＰＥＴ）（極限粘度〔η〕＝０．６５）をスクリュー型１軸押出器で押出し、ペレット状に成型した。該ペレットを実施例１と同様に紡糸し（紡糸でのパックのフィルターは２７０メッシュ）、延伸し、水洗し、乾燥して布帛を得た。得られた布帛を用いて寝具カバーを作製した。
【００６０】
［アレルゲン低減化評価］
実施例１〜３および比較例１〜３にて得られた寝具カバー、各１０ｇ分使用して評価布片（３３ｃｍ×３０ｃｍ）を作製した。
評価布片に、エチルアルコール５０重量部、精製水５０重量部に、塵ゴミ（アレルゲン２ｍｇ／ｇ）５重量部を分散させた調製アレルゲンを１ｍｌ振り撒いて評価用布片を調整した。
［評価方法（１）］
室温で８時間放置後、上記評価用布片をアレルゲン判定キット「ダニスキャン」（アサヒビール薬品社製）を用いてアレルゲン性を測定した。判定は「ダニスキャン」の使用説明書に従った。結果を表１に示す。ダニスキャンの判定基準は以下の通り、
１・・・ダニアレルゲンの汚染はない（テストラインＴ＝０）
２・・・ややダニアレルゲンで汚染されている（Ｔ＜Ｃコントロールライン）
３・・・ダニアレルゲンで汚染されている（Ｔ＝Ｃ）
４・・・非常に汚染されている（Ｔ＞Ｃ）
【００６１】
［評価方法（２）］
室温で２時間後、上記評価用布片を「マイティーチェッカー」（シントーファイン社製）のキットに従って、アレルゲン成分を抽出し、アレルゲン量を測定した。
結果を表１に示す。
マイティーチェッカーの判定基準は以下のとおり、
＋＋・・・ダニアレルゲンレベル＞３５μｇ／ｍ2
＋  ・・・ダニアレルゲンレベル  １０μｇ／ｍ2
±  ・・・ダニアレルゲンレベル    ５μｇ／ｍ2
−  ・・・ダニアレルゲンレべル  ＜１μｇ／ｍ2
【００６２】
【表１】
0004032223.tif 000005
【００６３】
【発明の効果】
本発明のアレルゲン低減化寝具は、繊維自体にアレルゲン低減化処理が施されているため、アレルギー疾患を抱える患者も、アレルギー症状を起こすことなく、快適に生活できる。また、アレルゲンにより汚染された寝具に低減化成分を後処理する等の手間をかけることもない。
さらに、アレルゲン低減化機能が低下した場合であっても、簡便な操作により低減化機能が回復することから、半永久的にアレルゲン低減化機能を発揮することができる。